(57)【要約】      （修正有）【課題】浴槽の跨ぎ高さを高くすることなく配管を配置しつつ、配管の配置箇所の選択性を高めることができる浴槽を提供する。【解決手段】浴槽本体２０と、浴槽本体の下面に設けられ、浴槽本体を接地面との間で支持する複数の脚部４０と、を備え、複数の脚部のうち少なくとも１つの脚部には、配管７０を挿通するための貫通部４２が形成されている。また、複数の脚部は水平断面が筒状であるとともに、隣り合う脚部の間を連結するリブ５０を備えている。【選択図】図１
2020110445.tif 000002
【特許請求の範囲】
【請求項１】
浴槽本体と、
前記浴槽本体の下面に設けられ、前記浴槽本体を接地面との間で支持する複数の脚部と、を備え、
複数の前記脚部のうち少なくとも１つの前記脚部には、配管を挿通するための貫通部が形成されている浴槽。
【請求項２】
複数の前記脚部は水平断面が筒状である請求項１に記載の浴槽。
【請求項３】
隣り合う複数の前記脚部の間を連結するリブを備える請求項１又は２に記載の浴槽。
【請求項４】
前記浴槽本体の底面における幅方向及び奥行き方向の略中央部分には、前記浴槽本体を洗浄するための洗浄用湯水を前記浴槽本体に噴射する噴射部が設けられ、
前記配管は、前記噴射部に前記洗浄用湯水を供給するための洗浄配管である請求項１、２、又は３に記載の浴槽。
【発明の詳細な説明】
【技術分野】
【０００１】
本発明は、浴槽に関する。
【背景技術】
【０００２】
浴槽には、給湯機から浴槽本体に湯水を供給する湯水供給配管や追い焚き機能を実現するための追い焚き用配管等の複数の配管が配置されている。また、浴槽には、入水動作を容易にするために浴槽の跨ぎ高さを低くすることが求められている。
【０００３】
一方で特許文献１には、浴槽本体を支持する板状のリブの下方に配管を配置する構成が開示されている。
【先行技術文献】
【特許文献】
【０００４】
【特許文献１】特開２０１４−９２０１７号公報
【発明の概要】
【発明が解決しようとする課題】
【０００５】
しかし、特許文献１の構成では、浴槽本体の下方に配管を配置するための空間を確保する必要があり、浴槽の跨ぎ高さが高くなってしまう。
【０００６】
そこで、本発明は、浴槽の跨ぎ高さを高くすることなく配管を浴槽の下部に配置しつつ、配管の配置箇所の選択性を高めることを目的とする。
【課題を解決するための手段】
【０００７】
第１の態様の浴槽は、浴槽本体と、前記浴槽本体の下面に設けられ、前記浴槽本体を接地面との間で支持する複数の脚部と、を備え、複数の前記脚部のうち少なくとも１つの前記脚部には、配管を挿通するための貫通部が形成されている。
【０００８】
第２の態様の浴槽は、第１の態様の浴槽であって、複数の前記脚部は水平断面が筒状である。
【０００９】
第３の態様の浴槽は、第１又は第２の態様の浴槽であって、隣り合う複数の前記脚部の間を連結するリブを備える。
【００１０】
第４の態様の浴槽は、第１、第２、又は第３の態様の浴槽であって、前記浴槽本体の底面における幅方向及び奥行き方向の略中央部分には、前記浴槽本体を洗浄するための洗浄用湯水を前記浴槽本体に噴射する噴射部が設けられ、前記配管は、前記噴射部に前記洗浄用湯水を供給するための洗浄配管である。
【発明の効果】
【００１１】
本発明によれば、浴槽の跨ぎ高さを高くすることなく配管を浴槽の下部に配置しつつ、配管の配置箇所の選択性を高めることができる。
【図面の簡単な説明】
【００１２】
【図１】本実施の形態における浴槽の平面図である。
【図２】本実施の形態における浴槽の正面図である。
【図３】本実施の形態における浴槽の拡大正面図である。
【図４】本実施の形態における脚部及びリブを示す斜視図である。
【図５】本実施の形態の変形例における脚部及びリブを示す斜視図である。
【図６】本実施の形態の変形例における脚部及びリブを下方から見た図である。
【発明を実施するための形態】
【００１３】
以下、本実施の形態における浴槽１０について説明する場合は、浴槽１０を基準とする方向を用いて説明する。まず、図１に示すＸ方向が浴槽１０の幅方向であり、その左側を左方とし、その反対側を右方とする。また、図１に示すＹ方向が浴槽１０の奥行き方向であり、その手前側を前方とし、その反対側を後方とする。さらに、図１に示すＺ方向が浴槽１０の高さ方向であり、その上側を上方とし、その反対側を下方とする。
【００１４】
図１は、本実施の形態における浴槽１０の平面図であり、図２は、本実施の形態における浴槽１０の正面図である。なお、図２は、図１に示す浴槽１０の構成を簡略化して図示した正面図であるため、図１に示す一部の構成が省略されている。
【００１５】
図１に示すように、浴槽１０は、浴槽本体２０と、４個の脚部４０と、リブ５０と、洗剤タンク６０と、複数の配管７０と、機能ユニット８０と、を備えている。そして、図示を省略しているが、浴槽１０の前方に洗い場が存在し、浴槽１０の後方、左方、及び右方に浴室の壁部が存在する。なお、浴槽１０は、その下方に設けられた浴槽パン等の接地面Ｔ（図２参照）の上に設置されている。
【００１６】
浴槽本体２０は、底面部２２と、底面部２２から上方に延びる複数の側壁部２４、２６、２８、３０と、側壁部２４、２６、２８、３０の上端から奥行き方向外側又は幅方向外側に突出するフランジ状のフランジ部３２と、を備えている。
【００１７】
図２に示すように、底面部２２は、下面に４個の脚部４０が設けられた下段部２２Ａと、下段部２２Ａと連続し、下段部２２Ａよりも上方に位置する上段部２２Ｂと、を備えている。
【００１８】
また、図１に示すように、底面部２２における幅方向及び奥行き方向の略中央部分には、浴槽本体２０を洗浄するための洗浄用湯水を浴槽本体２０に噴射する噴射部１２が設けられている。噴射部１２は、洗浄用湯水を側壁部２４、２６、２８、３０に向けて拡散して噴射する図示しない噴射ノズルを備えている。
【００１９】
ここで、「洗浄用湯水」には、図示しない給湯機又は図示しない給水管から供給される湯水である「通常湯水」と、この通常湯水に洗剤タンク６０内の洗剤が混合された「混合湯水」とが含まれる。以下、単に「洗浄用湯水」と記載する場合は、通常湯水と混合湯水との双方を含んでいる。
【００２０】
さらに、底面部２２における噴射部１２の前方には、浴槽本体２０内の湯水を排水する排水栓１４が設けられている。この排水栓１４には、図示しない排水配管が接続されており、排水栓１４を開くことにより浴槽本体２０内の湯水が排水配管に排水される。一方、排水栓１４を閉じることにより浴槽本体２０内に湯水を溜めることができる。
【００２１】
フランジ部３２における前端かつ右端には、排水栓１４を開閉するための開閉駆動機構１６が設けられている。この開閉駆動機構１６は、排水栓１４に開閉駆動力を伝達し、排水栓１４を開いたり閉じたりする。
【００２２】
図３は、図１のＡ−Ａ断面図である。なお、図３においては、図１に示す一部の構成の図示を省略している。
図３に示すように、４個の脚部４０は、浴槽本体２０を接地面Ｔとの間で支持する部材であって、下段部２２Ａの下面に設けられている。４個の脚部４０は、水平断面が円筒状を呈している。
【００２３】
図４は、脚部４０を示す斜視図である。図３及び図４に示すように、脚部４０は、下段部２２Ａの下面から下方に延びる立設部４４と、立設部４４の下面であって、接地面Ｔと接触する接触部４６と、を備えている。４個の脚部４０のうち、前方かつ左方の脚部４０の立設部４４には、噴射部１２に洗浄用湯水を供給するための洗浄配管７６が挿通される立設部４４を貫通した貫通部４２が２ヶ所形成されている。貫通部４２は、洗浄配管７６の外径よりもやや大きい外径を有する円形の孔となっている。
【００２４】
リブ５０は、隣り合う４個の脚部４０を連結する板状部材である。このリブ５０は、上面視にて噴射部１２を取り囲むようにして隣り合う脚部４０を連結している（図１参照）。そして、リブ５０は、立設部４４の外周面から幅方向及び奥行き方向に延びている。
【００２５】
図１に示す洗剤タンク６０は、洗剤を貯留するタンクである。この洗剤タンク６０は、図示しない浴室の壁部と側壁部２８との間において、フランジ部３２の下方に設置されている。
【００２６】
ここで、本実施の形態は、複数の配管７０として、開閉チューブ７２、湯水供給配管７４、洗浄配管７６、及び洗剤供給配管７８を少なくとも備えている。
【００２７】
開閉チューブ７２は、その内部に排水栓１４を開閉させるための駆動部材（例：ワイヤ）を備えている。この開閉チューブ７２は、図１に示すように、その一端が開閉駆動機構１６に接続され、その他端が排水栓１４に接続されている。
【００２８】
湯水供給配管７４は、図示しない給湯機及び図示しない給水管に接続されており、給湯機により所定温度まで加熱された湯や給水管から水道水が供給される。そして、湯水供給配管７４は、供給された湯水を浴槽本体２０内に供給可能となっている。
【００２９】
洗浄配管７６は、図１に示すように、その一端が機能ユニット８０に接続され、その他端が噴射部１２に接続されている。これにより、洗浄配管７６は、機能ユニット８０から圧送された洗浄用湯水を噴射部１２に供給可能となっている。
【００３０】
洗剤供給配管７８は、その一端が洗剤タンク６０に接続され、その他端が機能ユニット８０に接続されている。これにより、洗剤供給配管７８は、洗剤タンク６０内の洗剤を機能ユニット８０に供給可能となっている。
【００３１】
図１に示す機能ユニット８０は、洗浄用湯水を洗浄配管７６に圧送するものである。この機能ユニット８０は、図示しない浴室の壁部と側壁部２４との間において、フランジ部３２の下方に設置されている。機能ユニット８０には、給湯機により所定温度まで加熱された湯、及び給水管からの水道水が供給可能となっている。また、機能ユニット８０は、洗浄配管７６及び洗剤供給配管７８に接続されている。
【００３２】
これにより、機能ユニット８０は、例えば、図示しない洗浄リモコンの操作に基づき浴槽本体２０を洗浄する洗浄運転が行われる場合に、洗浄用湯水を洗浄配管７６に圧送する。具体的には、機能ユニット８０は、洗浄運転において、洗浄用湯水として、通常湯水と混合湯水とを図示しない電磁弁を適宜切り替えて洗浄配管７６に圧送する。そのため、洗浄配管７６を通じて洗浄用湯水が供給された噴射部１２からは、通常湯水と混合湯水とが適宜切り替えられて浴槽本体２０に噴射され、混合湯水による洗浄や通常湯水によるすすぎが行われる。
【００３３】
次に、本実施の形態の作用効果について説明する。
浴槽１０は、上記のように、開閉チューブ７２、湯水供給配管７４、洗浄配管７６、及び洗剤供給配管７８等の複数の配管７０が配置される。また、浴槽１０には、入水動作を容易にするために浴槽本体２０の跨ぎ高さを低くすることが求められる。
【００３４】
配管７０を浴槽１０の下部に配置するには、例えば、浴槽１０の下方に配管７０を配置するための空間を確保し、その確保した空間に配管７０を配置することが考えられる。しかし、この場合は、浴槽１０の下方に確保した空間だけ、浴槽本体２０の跨ぎ高さが高くなってしまう。
【００３５】
そこで、本実施の形態は、浴槽本体２０の跨ぎ高さを低くしつつ、配管７０を浴槽１０の下部に配置するために、浴槽本体２０を接地面Ｔとの間で支持する４個の脚部４０の１つに貫通部４２を形成している。そして、この貫通部４２には、噴射部１２に洗浄用湯水を供給するための洗浄配管７６が挿通されている。なお、浴槽本体２０の全荷重を支える脚部４０は、浴槽本体２０の下面（裏面）の四方に一体成形で配置されることが多い。加えて、脚部４０は、浴槽本体２０の水勾配を得るのに十分な高さで形成されているため、浴槽本体２０の下面と接地面Ｔとの間の空間を広くすることができる。その結果、脚部４０の高さ寸法内に上記の洗浄配管７６を挿通するための貫通部４２を形成することができる。
【００３６】
本実施の形態は、前方かつ左方の脚部４０に貫通部４２を形成したが、その他の脚部４０に貫通部４２を形成することもできるため、浴室の構造に合わせて貫通部４２を形成することで洗浄配管７６の配置箇所に選択性を持たせることができる。
【００３７】
また、本実施の形態は、浴槽１０の下方に配管７０を配置するための空間を確保することなく、洗浄配管７６を配置できるため、浴槽本体２０の跨ぎ高さを高くすることなく洗浄配管７６を浴槽１０の下部に配置することができる。
【００３８】
以上より、本実施の形態は、浴槽１０の下方に配管７０を配置するための空間を設けた構成に比べて、浴槽本体２０の跨ぎ高さを高くすることなく洗浄配管７６を浴槽１０の下部に配置しつつ、洗浄配管７６の配置箇所の選択性を高めることができる。
【００３９】
また、浴槽本体２０の跨ぎ高さを低くしつつ、配管７０を浴槽１０の下部に配置するには、例えば、浴槽本体２０を支持する板状のリブ５０に切り欠きを設け、その切り欠きに配管７０を配置することが考えられる。しかし、この場合は、リブ５０に切り欠きを設けない場合に比べて、リブ５０の強度が低下し、浴槽本体２０を支持する剛性が低下してしまう。
【００４０】
本実施の形態は、上記のように、水平断面が円筒状の４個の脚部４０の１つに貫通部４２を形成しているため、板状のリブ５０に切り欠きを設けた構成に比べて、浴槽本体２０を支持する剛性の低下を抑制することができる。また、本実施の形態は、脚部４０に貫通部４２を形成することで、必要な強度を確保しつつ、最適な配管経路を選ぶことができる。
【００４１】
また、本実施の形態は、隣り合う４個の脚部４０を連結するリブ５０を設けつつ、４個の脚部４０により浴槽本体２０を接地面Ｔとの間で支持している。そして、脚部４０の周囲には空間があるため、リブ５０を交差させることで、浴槽本体２０を支持する剛性を高めることができる。そのため、本実施の形態は、脚部４０のみで浴槽本体２０を支持する構成に比べて、浴槽本体２０を支持する剛性を高めることができる。
【００４２】
本実施の形態と異なり、例えば、噴射部１２を側壁部２４の近傍に設けた場合は、側壁部２４と幅方向で対向する側壁部２８と噴射部１２との距離が遠くなってしまい、側壁部２８に噴射ノズルから噴射された洗浄用湯水が届かないことが想定される。
【００４３】
これに対し、本実施の形態は、底面部２２における幅方向及び奥行き方向の略中央部分に噴射部１２を設け、この噴射部１２が備える噴射ノズルにより側壁部２４、２６、２８、３０の各々に洗浄用湯水が噴射される。そのため、本実施の形態によれば、噴射部１２を側壁部２４、２６、２８、３０の近傍に設けた場合に比べて、浴槽本体２０内の洗浄ムラを抑制することができる。
【００４４】
（その他）
上記の実施形態は、４個の脚部４０の水平断面を円筒状としたが、これに限らず、水平断面を角筒状としてもよい。つまり、脚部４０を多角形の角筒状としてもよい。
【００４５】
上記の実施形態は、４個の脚部４０の１つに貫通部４２を形成したが、これに限らず、４個の脚部４０の２つ以上の脚部４０に貫通部４２を形成してもよい。
【００４６】
上記の実施形態は、脚部４０を４個設けたが、これに限らず、脚部４０は３個でもよく、４個以上でもよい。
【００４７】
上記の実施形態は、機能ユニット８０を図示しない浴室の壁部と側壁部２４との間に設置したが、これに限らず、浴室の壁部と側壁部２８との間に機能ユニット８０を配置してもよい。つまり、機能ユニット８０は、側壁部２４、２６、２８、３０のうち、幅方向側の側壁部２４、２８と浴室の壁部との間に配置することが望ましい。側壁部２４、２６、２８、３０のうち、側壁部２６と図示しないバスエプロンとの間、及び、側壁部３０と浴室の壁部との間に配置することは、機能ユニット８０を配置するための空間の確保が困難だからである。以上のように、浴槽１０における機能ユニット８０等の各構成の配置箇所は、上記の実施形態に限定されるものではない。
【００４８】
上記の実施形態は、貫通部４２に挿通する配管７０を洗浄配管７６としたが、これに限らず、他の配管７０を貫通部４２に挿通してもよい。洗浄配管７６以外の他の配管７０を貫通部４２に挿通した場合は、当該配管７０を接続する構成が機能ユニット８０に代えて幅方向側の側壁部２４、２８と浴室の壁部との間に設置される。例えば、ジェットバス機能付きの浴槽１０とした場合は、機能ユニット８０に代えてジェットバス機構が設置される。
【００４９】
上記の実施形態は、貫通部４２を円形の孔としたが、貫通部４２の形状はこれに限られない。
【００５０】
図５は、上記の実施形態の変形例における脚部４０及びリブ５０を示す斜視図である。図５に示すように、貫通部４２は、立設部４４の下端から上方に向かって形成された略逆Ｕ字状の溝としてもよい。貫通部４２を略逆Ｕ字状の溝とすることにより、浴槽本体２０と脚部４０とが一体成形の場合、貫通部４２を容易に成形加工することができる。
【００５１】
上記の実施形態は、脚部４０の水平断面を円筒状としたが、脚部４０の形状はこれに限られない。
【００５２】
図６は、上記の実施形態の変形例における脚部４０及びリブ５０を下方から見た図である。
図６（Ａ）に示すように、立設部４４は、下面視にて略Ｃ字状を呈する曲部４４Ａと、曲部４４Ａに連続し、幅方向又は奥行き方向に延びる延出部４４Ｂとから構成されてもよい。この場合は、曲部４４Ａに貫通部４２が１ヶ所形成されている。また、図６（Ｂ）に示すように、立設部４４は、下面視にて略Ｌ字状を呈するように構成されてもよい。この場合は、立設部４４の湾曲部分に貫通部４２が１ヶ所形成されている。なお、図６では、貫通部４２を破線で示し、貫通部４２が円形の孔である場合を想定しているが、これに限らず、貫通部４２を実線で示し、貫通部４２を略逆Ｕ字状の溝としてもよい。
【符号の説明】
【００５３】
１０  浴槽                                  １２  噴射部
２０  浴槽本体                              ４０  脚部
４２  貫通部                                ５０  リブ
７０  配管                                  ７６  洗浄配管
【図１】
2020110445.tif 000003
【図２】
2020110445.tif 000004
【図３】
2020110445.tif 000005
【図４】
2020110445.tif 000006
【図５】
2020110445.tif 000007
【図６】
2020110445.tif 000008